(57)【特許請求の範囲】
【請求項１】
足を収納する靴部と、
前記靴部の上方に一体に形成されて下腿を囲う筒部と、
前記筒部の外周を覆う筒状のカバー部材と、を備え、
前記靴部は、上部に履物側係合部を有し、
前記カバー部材は、下部周縁部に前記履物側係合部と係合するカバー側係合部が設けられ、
前記カバー部材は、前記カバー側係合部を前記履物側係合部に係脱することで着脱自在に前記靴部に装着され、装着状態で前記筒部の外周を覆い、
前記カバー部材は、互いに係合する前記カバー側係合部及び前記履物側係合部の外側を覆うフラップ部を備えることを特徴とする履物。
【請求項２】
前記靴部及び前記筒部は、ゴム材料を成形して加硫することで一体成形されるゴム長靴であることを特徴とする請求項１に記載の履物。
【請求項３】
前記履物側係合部及び前記カバー側係合部は、スライドファスナであることを特徴とする請求項１又は２に記載の履物。
【請求項４】
前記履物側係合部及び前記カバー側係合部は、前記靴部の上部及び前記カバー部材の下部周縁部に形成された孔であり、前記孔に挿通される紐により係合することを特徴とする請求項１又は２に記載の履物。
【請求項５】
前記履物側係合部及び前記カバー側係合部は、面ファスナであることを特徴とする請求項１又は２に記載の履物。
【請求項６】
足を収納する靴部と、前記靴部の上方に一体に形成されて下腿を囲う筒部と、を備えるブーツであって、
前記靴部は、上部に履物側係合部を有し、
前記履物側係合部は、前記筒部の外周を覆う筒状のカバー部材の下部周縁部に設けられたカバー側係合部と係合可能であって、前記カバー側係合部を前記履物側係合部に係合することで、前記カバー部材が前記筒部の外周を覆うように構成され、
前記筒部は、前記靴部よりも対候性に劣る材料から構成されることを特徴とするブーツ。
【請求項７】
ゴム長靴であることを特徴とする請求項６に記載のブーツ。
【請求項８】
履いた状態で下腿を覆う長靴であって、
該長靴を履いた状態で足首付近に対応する部分に履物側係合部を有し、
前記履物側係合部は、該長靴を履いた状態で下腿をさらに外側から覆う筒状のカバー部材に設けられたカバー側係合部と係合可能であって、前記カバー側係合部を前記履物側係合部に係合することで、前記カバー部材が該長靴に取り付けられるように構成され、
前記カバー部材に覆われる部分は、他の部分よりも対候性に劣る再生ゴムから構成されることを特徴とする長靴。
【発明の詳細な説明】
【技術分野】
【０００１】
本発明は、履物、ブーツ及び長靴に関する。
【背景技術】
【０００２】
従来、靴カバーに設けた複数個のフックを靴底の外周縁に係合させて装着し、靴カバーが靴から外れることを防止するようにした雨天用靴カバーが知られている（例えば、特許文献１参照。）。また、靴部と筒部とを縫製、接着剤、粘着剤を用いた接着、接合などで連結すると共に、舌布の先端部を筒部内面に縫製、接着、接合、ファスナ部材により連結して、足とほぼ同じ大きさのサイズのワークブーツを選択しても着脱が容易であり、かつ足にフィットして運動性が改善されたワークブーツが開示されている（例えば、特許文献２参照。）。
【先行技術文献】
【特許文献】
【０００３】
【特許文献１】特許第３４５６９７８号公報
【特許文献２】特許第３７４８８３３号公報
【発明の概要】
【発明が解決しようとする課題】
【０００４】
特許文献１は、雨天時に靴と膝から下の足元を覆い、靴、ズボンの裾、靴下等といった足元に雨水や泥水等の付着による濡れや汚れを回避するようにしたものであり、主に短靴を対象として雨天時に使用され、通常は取り外されている。また、特許文献２は、靴部と筒部とが縫製、接着剤、粘着剤を用いた接着、接合などで一体に固定されており、筒部が常に外部に露出しているため、こすれたり、紫外線を浴び続けたりすることで劣化する虞がある。劣化を防ぐためには、靴部及び筒部の全てを耐候性の優れた材料で製作する必要があり、コスト増大の虞があった。さらに、デザインを選択する余地がなかった。一方、ファスナ部材により連結した場合には、筒部が取り替え可能であるもののファスナから内部に浸水する虞があった。
【０００５】
本発明は、前述した課題に鑑みてなされたものであり、その目的は、靴部に一体形成された筒部を任意に交換可能なカバー部材で覆うことにより、全てを耐候性に優れる部材で製造する必要がなく、コストダウンが可能であり、且つ耐久性、意匠性に優れた履物、ブーツ及び長靴を提供することにある。
【課題を解決するための手段】
【０００６】
本発明の上記目的は、下記の構成により達成される。
（１）  足を収納する靴部と、
前記靴部の上方に一体に形成されて下腿を囲う筒部と、
前記筒部の外周を覆う筒状のカバー部材と、を備え、
前記靴部は、上部に履物側係合部を有し、
前記カバー部材は、下部周縁部に前記履物側係合部と係合するカバー側係合部が設けられ、
前記カバー部材は、前記カバー側係合部を前記履物側係合部に係脱することで着脱自在に前記靴部に装着され、装着状態で前記筒部の外周を覆い、
前記カバー部材は、互いに係合する前記カバー側係合部及び前記履物側係合部の外側を覆うフラップ部を備えることを特徴とする履物。
（２）  前記靴部及び前記筒部は、ゴム材料を成形して加硫することで一体成形されるゴム長靴であることを特徴とする（１）に記載の履物。
（３）  前記履物側係合部及び前記カバー側係合部は、スライドファスナであることを特徴とする（１）又は（２）に記載の履物。
（４）  前記履物側係合部及び前記カバー側係合部は、前記靴部の上部及び前記カバー部材の下部周縁部に形成された孔であり、前記孔に挿通される紐により係合することを特徴とする（１）又は（２）に記載の履物。
（５）  前記履物側係合部及び前記カバー側係合部は、面ファスナであることを特徴とする（１）又は（２）に記載の履物。
（６）  足を収納する靴部と、前記靴部の上方に一体に形成されて下腿を囲う筒部と、を備えるブーツであって、
前記靴部は、上部に履物側係合部を有し、
前記履物側係合部は、前記筒部の外周を覆う筒状のカバー部材の下部周縁部に設けられたカバー側係合部と係合可能であって、前記カバー側係合部を前記履物側係合部に係合することで、前記カバー部材が前記筒部の外周を覆うように構成され、
前記筒部は、前記靴部よりも対候性に劣る材料から構成されることを特徴とするブーツ。
（７）  ゴム長靴であることを特徴とする（６）に記載のブーツ。
（８）  履いた状態で下腿を覆う長靴であって、
該長靴を履いた状態で足首付近に対応する部分に履物側係合部を有し、
前記履物側係合部は、該長靴を履いた状態で下腿をさらに外側から覆う筒状のカバー部材に設けられたカバー側係合部と係合可能であって、前記カバー側係合部を前記履物側係合部に係合することで、前記カバー部材が該長靴に取り付けられるように構成され、
前記カバー部材に覆われる部分は、他の部分よりも対候性に劣る再生ゴムから構成されることを特徴とする長靴。
【発明の効果】
【０００７】
本発明の履物、ブーツ及び長靴によれば、靴部の上部に設けられた履物側係合部を、カバー部材に設けられたカバー側係合部に係脱することで、カバー部材が着脱自在に靴部に装着され、装着状態で筒部の外周を覆うようにしたので、カバー部材で覆われる筒部は、直接、日に当たることもなければ、こすれることもないので、耐久性がよく長く使用することが可能となる。また、筒部は耐候性（紫外線対策）等を考慮する必要がなく、例えば、再生ゴムなどの多少耐候性に劣る材料でも使用可能であり、環境に優しく、且つ、コストダウンが可能となる。また、筒部は靴部と一体に形成されているので、雨水等が係合部から浸入することはない。さらに、任意デザインのカバー部材に取り替えることで、多様なデザインを楽しむことができる。
【図面の簡単な説明】
【０００８】
【図１】本発明の第１実施形態の履物の側面図である。
【図２】図１のＩＩ−ＩＩ線断面図である。
【図３】長靴の製造工程の一部を工程順に示す説明図である。
【図４】長靴の製造工程のうち、図３の続きの製造工程を工程順に示す説明図である。
【図５】本発明の第２実施形態の履物の側面図である。
【発明を実施するための形態】
【０００９】
以下、本発明に係る履物の各実施形態を図面に基づいて詳細に説明する。
（第１実施形態）
図１は本発明の第１実施形態である履物の側面図、図２は図１におけるＩＩ−ＩＩ線断面図であり、履物１０Ａは、ゴム長靴１１と、カバー部材４０と、を備える。ゴム長靴１１は、ゴム材料を長靴状に成形して加硫することで製作され、足を収納する靴部１３と、靴部１３の上方に一体に形成されて不図示の下腿を囲う筒部１４とからなる。靴部１３には、スライドファスナ１５を構成する一方のファスナチェーン（履物側係合部）１６ａが全周に亘って取り付けられている。
【００１０】
具体的に、靴部１３には、足首付近に対応する上部１３ａに、スライドファスナ１５を構成する一方のファスナチェーン（履物側係合部）１６ａが全周に亘って取り付けられている。一方のファスナチェーン１６ａは、ファスナエレメント列１７ａがファスナテープ１８ａの側縁部に沿って固定されており、このファスナテープ１８ａを靴部１３の上部１３ａの外周側に帯状ゴム１９で接着することで靴部１３に固定されている。
【００１１】
ゴム長靴１１は、例えば、図３に示す以下の手順により製作される。
先ず、図３（ａ）に示すように、延反された裏布材を裁断してゴム長靴１１を平面に展開した形状の裏布パターン２１を作成する。裏布パターン２１の素材としては、例えば、綿、アクリル、ナイロンなどで織成された布等のシート状素材が使用可能である。
【００１２】
次いで、図３（ｂ），（ｃ）に示すように、同様に延反されたゴムシートを裁断してゴム長靴１１を平面に展開した形状のゴムシートパターン２２と、ゴム長靴１１の要部を補強するための補強パターン２３とを作成する。なお、補強パターン２３は省略してもよい。
【００１３】
ゴムシートとしては、天然ゴムや、アクリルゴム、ニトリルゴムなどの合成ゴムを均一に練り上げた後、キャレンダーロール機でシート状に形成したものが使用される。なお、ゴム長靴１１の筒部１４となるゴムシートパターン２２は、後述するカバー部材４０で常に覆われているので、必ずしも耐候性に優れた材料を用いる必要はなく、例えば、リサイクルされた再生ゴムなどの使用も可能である。図３（ｃ）に示す補強パターン２３は、足首から下となる靴部１３を覆う形状となっている。
【００１４】
図３（ｄ）に示すように、接着剤により裏布パターン２１に補強パターン２３を接着し、更に図３（ｅ）に示すように、補強パターン２３の上からゴムシートパターン２２を接着する。これにより、補強パターン２３は、裏布パターン２１とゴムシートパターン２２との間に挟まれて隠され、見えない状態となる。
【００１５】
図４（ｆ）に示すように、接着されて１枚のシート状に形成された裏布パターン２１、補強パターン２３、及びゴムシートパターン２２を、ゴムシートパターン２２を表側にして２つ折りにし、ゴム長靴１１のはき口２４となる部分以外の端部２５同士をミシンなどで縫合して長靴状袋体２０を形成する（図４（ｇ）参照）。図に示す実施形態の場合、ミシンによって縫合された縫合部２７は、足裏から爪先を通って脛に対応する部位に亘って形成されている。
【００１６】
そして、図４（ｈ）に示すように、長靴状袋体２０を金型２８に被せて取り付けた後、図４（ｉ）に示すように、図示しない別の成形装置で成形された靴底部２９を、足裏に対応するゴムシートパターン２２に接着し、更に、爪先から脛に対応する部位に形成された縫合部２７を隠すように帯状ゴム３０を接着する。また、必要に応じて踵や爪先に対応する部位に補強のためのパーツ３１を接着する。なお、帯状ゴム３０及びパーツ３１は省略してもよい。
【００１７】
ここまでの段階では、ゴムはまだ柔らかく、耐久性もない状態なので、加硫装置（図示せず）内で略１４０℃程度に加熱しながら圧力を加えてゴム部分（ゴムシートパターン２２、補強パターン２３、靴底部２９、帯状ゴム１９，３０、補強のためのパーツ３１）を加硫する。これにより、図４（ｊ）に示すように、ゴム長靴１１が得られる。更に、図４（ｋ）に示すように、靴部１３の上部１３ａの外周側に、一方のファスナチェーン１６ａのファスナテープ１８ａを帯状ゴム１９で接着することで、ゴム長靴１１が完成する。
【００１８】
なお、上記説明では、一方のファスナチェーン１６ａは、ゴム長靴１１に帯状ゴム１９で接着するように説明したが、帯状ゴム１９で接着する場合に限らず他の方法で取り付けてもよい。
【００１９】
また、上記説明では、ゴム長靴１１は、一部を縫製したが、これに限らず、足形状の裏布材を金型２８に被着し、この裏布材にゴムシートを手で貼り付ける、所謂、手貼りによって製作してもよく、射出成形等により製作してもよく、その製造方法は特に限定されるものではない。
【００２０】
図１及び図２に戻り、カバー部材４０は、ゴム長靴１１の筒部１４の外径より大きな内径を有し、例えば、コーデュラ、ゴアテックス、皮革、ツイード生地などの任意の材料により筒部１４を覆う筒状に形成されている。カバー部材４０の内面には、下部周縁部４０ａより上方に位置して他方のファスナチェーン１６ｂ（カバー側係合部）が縫着されている。これにより、カバー部材４０には、スライドファスナ１５の外側を覆ってスライドファスナ１５を隠すことができるフラップ部４１が形成される。
【００２１】
他方のファスナチェーン１６ｂは、ファスナエレメント列１７ｂがファスナテープ１８ｂの側縁部に沿って固定されており、ファスナテープ１８ｂがカバー部材４０の内面に縫着されてカバー部材４０に固定されている。
【００２２】
一方のファスナチェーン（履物側係合部）１６ａと他方のファスナチェーン（カバー側係合部）１６ｂは、一対のファスナエレメント列１７ａ，１７ｂを係合、離間させるスライダ１２に挿通されてスライドファスナ１５を構成する。これにより、スライダ１２を操作して一対のファスナチェーン１６ａ，１６ｂを係合させることで、カバー部材４０が靴部１３（ゴム長靴１１）に取り付けられる。
【００２３】
また、カバー部材４０の上部周端部４０ｂをパイプ状に形成し、締め付け用の紐４２を挿通するようにしてもよく、この場合、紐４２を結んで締め付けることで、カバー部材４０のずり落ちが防止される。
【００２４】
スライダ１２により一対のファスナチェーン１６ａ，１６ｂを係合させて、カバー部材４０を靴部１３に取り付けた後、スライドファスナ１５をフラップ部４１で覆うことでスライドファスナ１５の露出が防止されるので、外観性に優れた履物１０Ａとすることができる。
【００２５】
このように、カバー部材４０は、スライドファスナ１５により着脱自在であるので、例えば、デザインの異なる複数のカバー部材４０から選択された任意のカバー部材４０を靴部１３に組み合わせることができ、履物１０Ａの意匠性能が向上する。また、汚れた場合には、靴部１３から取り外して洗濯することができる。
【００２６】
以上説明したように、本実施形態の履物１０Ａによれば、足を収納する靴部１３と、靴部１３の上方に一体に形成されて下腿を囲う筒部１４と、筒部１４の外周を覆う筒状のカバー部材４０と、を備え、靴部１３の上部１３ａに設けられた一方のファスナチェーン１６ａを、カバー部材４０の下部周縁部４０ａに設けられた他方のファスナチェーン１６ｂに係脱することで、カバー部材４０が着脱自在に靴部１３に装着され、装着状態で筒部１４の外周を覆うようにしたので、カバー部材４０で覆われる筒部１４は、直接、日に当たることもなければ、こすれることもないので、耐久性がよく長く使用することが可能となる。また、履物１０Ａの使用時には常にカバー部材４０を靴部１３に装着するようにしてもよく、特にこの場合には、筒部１４は耐候性（紫外線対策）等を考慮する必要がないので、例えば、再生ゴムなどの多少耐候性に劣る材料でも使用可能であり、環境に優しく、且つ、コストダウンが可能となる。また、筒部１４は靴部１３と一体に形成されているので、雨水等がスライドファスナ１５から浸入することはない。
【００２７】
また、履物側係合部及びカバー側係合部は、スライドファスナ１５で構成されるので、カバー部材４０の交換が容易であり、任意デザインのカバー部材４０に取り替えることで、1つのゴム長靴１１を用いて多様なデザインを楽しむことができる。更に、カバー部材４０が汚れた場合には、洗濯することも可能となる。
【００２８】
また、カバー部材４０は、互いに係合する一対のファスナチェーン１６ａ，１６ｂの外側を覆うフラップ部４１を備えるので、ファスナチェーン１６ａ，１６ｂを隠すことができ、意匠性が向上する。
【００２９】
（第２実施形態）
次に、履物の第２実施形態について図５を参照して説明する。図５は本発明の第２実施形態である履物の側面図であり、本実施形態の履物１０Ｂは、履物側係合部及びカバー側係合部の形態が第１実施形態の履物１０Ａと異なるとともに、カバー部材４０のデザインが第１実施形態の履物１０Ａと異なっている。その他の部分については、本発明の第１実施形態の履物１０Ａと同様であるので、同一部分には同一符号又は相当符号を付して説明を簡略化又は省略する。
【００３０】
本実施形態の履物１０Ｂには、靴部１３との間に中空部４６を形成する中空部形成部材４７が靴部１３の上部に靴部１３を囲うように帯状ゴム１９で接着されており、中空部形成部材４７に形成された複数の孔４３によって履物側係合部が構成されている。また、カバー側係合部は、カバー部材４０の下部周縁部４０ａに設けられた複数の孔４４によって構成され、複数の孔４３，４４は、この複数の孔４３，４４に縫うように挿通される紐４５により係合されている。
【００３１】
図４に示す実施形態では、複数の孔４３，４４に挿通される紐４５が、カバー部材４０の編み上げ紐の一部であり、統一したデザインとなっている。編み上げ紐としての紐４５をカバー部材４０の上部で結ぶことで、カバー部材４０のずり落ちが防止される。その他の構成、及び作用は第１実施形態の履物１０Ａと同様である。
【００３２】
以上説明したように、本実施形態の履物１０Ｂによれば、履物側係合部及びカバー側係合部が、複数の孔４３，４４であり、これら複数の孔４３，４４に挿通される紐４５により係合するようにしたので、紐４５を強調したデザインの履物１０Ｂにも交換可能なカバー部材４０を適用することができる。
【００３３】
尚、本発明は、前述した各実施形態に限定されるものではなく、適宜、変形、改良、等が可能である。
上記の実施形態では、履物側係合部及びカバー側係合部は、スライドファスナ、或いは孔に挿通される紐として説明したが、これには限定されず、例えば、一方の面がフック状に起毛され、他方の面がループ状に密集して起毛された面ファスナであってもよい。
【００３４】
また、上記の実施形態では、ブーツとしてゴム長靴１１を例示したが、足を収納する靴部１３と、靴部１３の上方に一体に形成されて不図示の下腿を囲う筒部１４とからなるブーツである限り、様々な素材、用途のブーツ、例えばトレッキング用ブーツ、ワークブーツ、寒冷地で履くブーツ、街中で履くブーツ、レインブーツ等に適用することができる。また、長靴とは、履いた状態で下腿の一部を覆うものであればよく、長靴にはブーツが含まれることがあり、反対に、ブーツにも長靴が含まれることがあるものとする。
筒部１４は、下腿の少なくとも一部を囲うものであれば、その長さは特に制限されるものではない。
さらに、フラップ部４１は省略してもよい。
【符号の説明】
【００３５】
１０Ａ，１０Ｂ  履物
１１            ゴム長靴（ブーツ）
１３            靴部
１３ａ          上部
１４            筒部
１５            スライドファスナ
１６ａ          一方のファスナチェーン（履物側係合部）
１６ｂ          他方のファスナチェーン（カバー側係合部）
４０            カバー部材
４０ａ          下部周縁部
４１            フラップ部
４３            孔（履物側係合部）
４４            孔（カバー側係合部）
４５            紐
【図１】
0005576463.tif 000002
【図２】
0005576463.tif 000003
【図３】
0005576463.tif 000004
【図４】
0005576463.tif 000005
【図５】
0005576463.tif 000006